(57)【要約】【課題】容器を転倒しにくくすることで、転倒による液状内容物の流出や容器の破損を防止する。【解決手段】上面に開口部を有する円筒状の首部１と、略球体状に膨らんだ胴部２とからなる容器１０において、胴部２の底面２１を略球面状とし、胴部２の底面２１の厚みＬ２を側面２２の厚みＬ１よりも厚く形成することで、底面２１に重心が位置するように構成する。【選択図】図１
2008007135.tif 000002
【特許請求の範囲】
【請求項１】
上面に開口部を有する容器において、
底面が略球面状で、前記底面に重心が位置するように構成されていることを特徴とする容器。
【請求項２】
前記底面に重心が位置するように、前記底面の厚みが側面の厚みよりも厚く形成されていることを特徴とする請求項１に記載の容器。
【請求項３】
前記底面に重心が位置するように、前記底面に錘を備えたことを特徴とする請求項１又は２に記載の容器。
【請求項４】
上面に開口部を有する容器の底面を支持するための支持部と、略球面状の底面と、を有することを特徴とする容器用錘。
【発明の詳細な説明】
【技術分野】
【０００１】
本発明は、容器に関し、特に、醤油やソース等の液状調味料や、香水・化粧水等の液状化粧品のように、液状内容物を入れるために好適に用いることができる容器に関するものである。
【背景技術】
【０００２】
従来、液状調味料等の液状内容物が入れられる容器においては、転倒すると液状内容物が流出しやすいことが問題視されている。
【０００３】
そこで、特許文献１では、合成樹脂製中空容器の底面に、容器の動きを制する摩擦機能を備えた接触部を設けることで、容器を転倒しにくくし、液状内容物の流出を防止することが提案されている。
【０００４】
また、容器が転倒した場合であっても、容器の上面に設けられた開口部（注ぎ口）からの液状内容物の流出を防止するための技術として、特許文献２及び特許文献３に記載の技術が提案されている。
【０００５】
特許文献２では、容器の上面に設けられた注ぎ口の突出方向とは反対側の側面に錘を備え、容器が倒れた場合に、常に注ぎ口が上面に位置するように構成したことにより、容器が転倒しても注ぎ口からの液状内容物の流出を最小限に抑えることが提案されている。
【０００６】
特許文献３では、容器の外側にこぼれ止めピースを備え、容器が転倒した場合に、注ぎ口が容器内に入れられた液状内容物の液面よりも高く保持されるように構成したことにより、容器が転倒しても注ぎ口からの液状内容物の流出を最小限に抑えることが提案されている。
【特許文献１】特開２００６−１６０７１号公報
【特許文献２】特開平１１−２１６０５６号公報
【特許文献３】特開平１１−２４０５４８号公報
【発明の開示】
【発明が解決しようとする課題】
【０００７】
しかしながら、上述した特許文献１に記載の容器では、底面に設けた接触部に許容範囲を超える外力が加わることで一度容器が傾くと、そのまま転倒しやすいため、転倒による液状内容物の流出を防止するという点で更なる改善の余地があった。
【０００８】
一方、上述した特許文献２及び特許文献３に記載の容器では、いずれも容器が転倒した場合に、液状内容物の流出を最小限に抑えることを目的としてなされたものであるため、転倒による液状内容物の流出を防止するという点で更なる改善の余地があるとともに、壊れやすいガラスや陶器等の材料で容器を作製すると、転倒により破損しやすいという問題があった。
【０００９】
そこで、本発明は、上記事情に鑑みてなされたものであり、転倒による液状内容物の流出や破損を防止できる容器を提供することを課題としている。
【課題を解決するための手段】
【００１０】
このような課題を解決するために、本発明は、上面に開口部を有する容器において、底面が略球面状で、前記底面に重心が位置するように構成されていることを特徴とする容器を提供する。
【００１１】
本発明の容器によれば、底面を略球面状とし、底面に重心が位置するように構成したことにより、底面が揺動自在で、その上面を底面に対して常に略垂直方向に保持する力が作用するため、容器が傾いても、そのまま転倒することなく、容器の上面が底面に対して略垂直方向に保持されるように起き上がる。
【００１２】
よって、本発明の容器は、転倒しにくいため、転倒による液状内容物の流出や容器の破損を防止することができる。
したがって、本発明の容器は、醤油やソース等の液状調味料や、香水や化粧水等の液状化粧品のように、容器が転倒すると流出しやすい液状内容物を入れる容器として好適に用いることができる。また、本発明の容器は、ガラスや陶器等のように壊れやすい材料で好適に作製することができる。
【００１３】
ここで、本発明の容器において、底面に重心が位置するように構成するための手段として、前記底面の厚みを、側面の厚みよりも厚く形成してもよいし、前記底面に錘を備えてもよい。
【００１４】
本発明はまた、上面に開口部を有する容器の底面を支持するための支持部と、略球面状の底面と、を有することを特徴とする容器用錘を提供する。
【００１５】
本発明の容器用錘によれば、上面に開口部を有する容器の底面を支持する支持部と、略球面状の底面と、を有する構成としたことにより、例えば底面が略平面状の容器であっても、この容器用錘を取り付けることで本発明の容器と同様の作用効果を得ることができる。よって、本発明の容器用錘によれば、公知の容器に取り付けることで本発明の容器と同様の作用効果が得られるため、転倒しにくい容器を低コストで提供することができる。
【発明の効果】
【００１６】
本発明の容器によれば、底面を略球面状とし、底面に重心が位置するように構成したことにより、容器が傾いても、容器の上面が底面に対して略垂直方向に保持されるように起き上がるため、転倒しにくく、転倒による液状内容物の流出や容器の破損を防止することができる。
【００１７】
本発明の容器用錘によれば、上面に開口部を有する容器の底面を支持する支持部と、略球面状の底面と、を有する構成としたことにより、この容器用錘を取り付けることで、転倒しにくい容器を得ることができる。
【発明を実施するための最良の形態】
【００１８】
以下、本発明の実施形態について図面を参照しながら説明する。
【００１９】
＜第一実施形態＞
図１は、本発明における容器の一構成例を示し、図１（ａ）は斜視図、図１（ｂ）は図１（ａ）の縦断面図である。
【００２０】
第一実施形態における容器１０は、図１に示すように、円筒状の首部１と、略球体状に膨らみ、略球状の底面２１を有する胴部２とからなるガラス製の容器であり、首部１の上面に設けられた開口部から内部に液状内容物が入れられるように構成されている。
【００２１】
また、胴部２の厚みは、側面２２から底面２１に向かって徐々に厚くなるように形成され、底面２１をなす部分の厚みＬ２は、側面２２をなす部分の厚みＬ１よりも厚く形成されている。これにより、容器１０の底面２１に重心が位置するように構成されている。
【００２２】
さらに、首部１には、容器１０に入れられた液状内容物の注ぎ口３１を有する蓋部３が着脱自在に螺合するように構成されている。
【００２３】
すなわち、この容器１０は、底面２１を略球状にし、底面２１に重心が位置するように構成されていることから、底面２１が揺動自在で、首部１を底面２１に対して常に略垂直方向に位置するように保持する力が作用する。このため、図２（ａ）に示すように容器１０が傾いても、図２（ｂ）に示すように容器１０が自ら起き上がり、容器１０の首部１が底面２１に対して略垂直方向に位置するように保持される。
【００２４】
よって、本実施形態における容器１０によれば、転倒しにくいため、転倒による液状内容物の流出や容器１０の破損を防止することができる。
【００２５】
なお、本実施形態では、円筒状の首部１と、略球体状に膨らんだ形状の胴部２を有する容器１０について説明したが、少なくとも容器１０の底面２１が略球状であれば、容器１０の形状はこれに限らない。
例えば、図3（ａ）に示すように、容器１０の胴部２を略円筒体状に形成してもよいし、図３（ｂ）に示すように、容器１０の胴部２を略半円筒体状に形成してもよいし、図３（ｃ）に示すように、容器１０の胴部２を略半球体状に形成してもよいし、図３（ｄ）に示すように、容器１０の胴部２を平面視がハート形状を有する立体状に形成してもよい。
【００２６】
＜第二実施形態＞
図４は、本発明における容器の他の構成例を示す斜視図である。
【００２７】
第二実施形態における容器１０Ａは、図４に示すように、上述した図１で示した容器１０において、その胴部２のうち側面２２をなす部分と底面２１をなす部分とで略一定の厚みで構成し、この容器１０Ａの底面２１に、凹状の錘４を装着したものである。
【００２８】
この錘４は、凹状の内部に容器１０Ａの底面２１を支持する支持部４２を有し、凹状の底面４１が略球状となっている。
【００２９】
すなわち、この容器１０Ａは、底面２１に錘４を装着することで、上述した第一実施形態で示した容器１０と同様に、底面２１が揺動自在で、首部１を底面２１に対して略垂直方向に位置するように保持する力が常に作用しているため、容器１０Ａが傾いても、容器１０Ａが自ら起き上がり、容器１０Ａの首部１が底面２１に対して略垂直方向に位置するように保持される。
【００３０】
よって、本実施形態における容器１０Ａによれば、転倒しにくいため、転倒による液状内容物の流出や容器１０Ａの破損を防止することができる。
【００３１】
また、本実施形態における容器１０Ａによれば、公知の容器に錘４を装着することで、上述した第一実施形態で示した容器１０と同様の作用効果が得られるため、転倒しにくい容器１０Ａを低コストで得ることができる。
【００３２】
なお、上述した第二実施形態では、底面２１が略球面状の容器１０Ａに錘４を装着した場合について説明したが、少なくとも錘４の底面４２が略球面状であれば、容器１０Ａの底面２１や錘４の形状はこれに限らない。
【００３３】
例えば、図５に示すように、上述した第一実施形態で示した容器１０において、その胴部２のうち側面２２をなす部分と底面２１をなす部分とで略一定の厚みにするとともに、底面２１を略平面状に構成した容器１０Bを用いて、この容器１０Bの底面に錘４を取り付けてもよい。
【００３４】
また、上述した第一実施形態及び第二実施形態では、液状内容物の注ぎ口３１を有する蓋部３を用いた場合について説明したが、蓋部３の構成はこれに限らない。
例えば、図６に示すように、蓋部３を動物等のキャラクター形状に形成してもよい。また、注ぎ口３１を蓋部３ではなく容器１０，１０Ａの首部１に設けた構成としてもよいし、容器１０，１０Ａの首部１にも蓋部３にも注ぎ口は設けず、蓋部３を外して液状内容物を注ぐようにしてもよい。
【図面の簡単な説明】
【００３５】
【図１】本発明における容器の一構成例を示す斜視図である。
【図２】本発明における容器の一動作例を示す斜視図である。
【図３】本発明における容器の他の構成例を示す斜視図である。
【図４】本発明における容器の他の構成例を示す斜視図である。
【図５】本発明における容器の他の構成例を示す斜視図である。
【図６】本発明における容器の他の構成例を示す斜視図である。
【符号の説明】
【００３６】
１    首部
２    胴部
３    蓋部
４    錘
１０，１０Ａ    容器
２１      底面
２２      側面
【図１】
2008007135.tif 000003
【図２】
2008007135.tif 000004
【図３】
2008007135.tif 000005
【図４】
2008007135.tif 000006
【図５】
2008007135.tif 000007
【図６】
2008007135.tif 000008
【手続補正書】
【提出日】平成19年9月3日(2007.9.3)
【手続補正１】
【補正対象書類名】特許請求の範囲
【補正対象項目名】全文
【補正方法】変更
【補正の内容】
【特許請求の範囲】
【請求項１】
上面に開口部を有する略球体状の容器において、底面が略球面状で、前記底面に重心が位置するように構成されていることを特徴とする
容器。
【請求項２】
前記底面に重心が位置するように、側面から底面に向かって徐々に厚みが厚くなるように形成され、底面の厚みが側面の厚みよりも厚く形成されていることを特徴とする請求項１に記載の容器。